(57)【要約】【課題】棚板に載置された本や物品の振動による滑り出しによる落下を防止する使い勝手のよい落下防止具を提供すること及び１本の支柱の左右方向に複数の棚板が取り付けられている状態での取り付けが可能な落下防止具を提供する。【解決手段】板状の滑り出し防止部材と該滑り出し防止部材を角度可変可能に保持する角度可変部材とを備え、前記滑り出し防止部材が前記角度可変部材の角度可変軸の位置を挟んで第１部材及び第２部材を有し、前記第１部材の重量が前記第２部材の重量よりも小さく構成され、前記角度可変軸が略水平に保たれるように前記棚板へ取り付けられた際に前記第１部材の端部が略鉛直に立ち上がって前記棚板の上面よりも上に位置する状態で保持され、前記棚板に積載された前記物品が滑り出して前記第１部材に当たる際に前記滑り出し防止部材の角度可変を防止するように構成されている。【選択図】図１
2019083963.tif 000002
【特許請求の範囲】
【請求項１】
棚板に取り付けられて前記棚板に積載された物品の滑り出しによる落下を防止する落下防止具であって、
板状の滑り出し防止部材と該滑り出し防止部材を前記棚板に対して角度可変に保持する角度可変部材とを備え、
前記滑り出し防止部材が前記角度可変部材の角度可変軸の位置を挟んで第１部材及び第２部材を有し、
前記第１部材の重量が前記第２部材の重量よりも小さく構成され、
前記角度可変軸が略水平に保たれるように前記棚板へ取り付けられた際に前記第１部材の端部が略鉛直に立ち上がって前記棚板の上面よりも上に位置する状態で保持され、
前記棚板に積載された前記物品が滑り出して前記第１部材に当たる際に前記滑り出し防止部材の角度可変を防止するように構成されていることを特徴とする落下防止具。
【請求項２】
前記棚板に前記物品を積み込む際に、前記落下防止具が前記棚板に取り付けられた状態で前記第１部材に前記物品が前記棚板の手前方向から当たる場合は前記角度可変軸で前記滑り出し防止部材が角度可変して前記第１部材が前記棚板の上面に略平行になることを特徴とする請求項１に記載の落下防止具。
【請求項３】
前記角度可変部材が粘着剤により前記棚板へ固定されることを特徴とする請求項１又は２に記載の落下防止具。
【請求項４】
前記第１部材が前記棚板の上面に略平行になった状態を維持する水平保持部を有することを特徴とする請求項１乃至３の何れかに記載の落下防止具。
【請求項５】
前記水平保持部が前記第１部材へ取り付けられた磁石であることを特徴とする請求項４に記載の落下防止具。
【請求項６】
前記水平保持部が前記第１部材へ取り付けられた粘着剤であることを特徴とする請求項４に記載の落下防止具。
【請求項７】
前記角度可変部材が蝶番、可撓性のシート材又は前記角度可変軸の部分が折り曲げ可能に加工された板状部材の何れかであることを特徴とする請求項1乃至６何れかに記載の落下防止具。
【請求項８】
前記角度可変部材が前記滑り出し防止材と一体に成形されることを特徴とする請求項1乃至６何れかに記載の落下防止具。
【請求項９】
前記棚板の手前部分の上面に貼られた滑り出し防止テープと前記棚板の前面に付着された請求項1乃至８何れかに記載の落下防止具を備えることを特徴とする落下防止装置。
【発明の詳細な説明】
【技術分野】
【０００１】
本発明は、地震等により事務所又は図書館の書棚や工場又は倉庫に設置された収納棚が揺れて書棚や収納棚の棚板に載置された本や物品が滑り出して落下することを防止する落下防止具に関する。
【背景技術】
【０００２】
従来、地震や意図しない何らかの物品の衝突等における振動、揺れ又は傾きで収納棚の棚板に載置された物品の落下や飛び出しを防止する装置が種々提案されている。
【０００３】
たとえば、特許文献１に開示される物品の滑り出しを防ぐ落下防止具は、ベルトとベルトの両端部に設けられる支柱への取り付け部とを備え、該取り付け部は支柱の側面に当接するＬ字型の取り付け本体と、支柱の一部に係合する係合突起と、取り付け本体をベルトの長手方向に伸縮可能な伸縮手段と、を有している。
【０００４】
また、この落下防止具は、当該伸縮手段が、取り付け本体に対してベルトの長さを長くする方向に移動可能なスライド片と、スライド片をベルト側に付勢するバネとを備えており、ベルトの長手方向に引っ張り力がかかったときに、スライド片が、バネの付勢力に抗して、ベルトの長さを長くする方向に移動可能な構成となっている。
【先行技術文献】
【特許文献】
【０００５】
【特許文献１】特許第４１２８５６３号公報
【発明の概要】
【発明が解決しようとする課題】
【０００６】
しかしながら、特許文献１に開示される物品の滑り出しを防ぐ落下防止具は、その構造上、支柱の前面と側面を使用しなければならないため、支柱の形状によってはその取り付けができなくなる課題や、複数の本や物品載置台が横方向に連続して並んでいる棚板では取り付けが困難となる課題があった。
【０００７】
また、特許文献１に開示される落下防止具は、取り付け後に本や物品を出し入れする際に、本や物品の前面に張設されているベルトをバックルで長くしたり、両手を用いて取り付け部のスライド片をベルトの長手方向にスライドさせたりしなければならず、本や物品を載せる棚の使い勝手が悪くなる課題があった。
【０００８】
この発明の目的は、上述した事情に鑑みて棚板に載置された本や物品の滑り出しによる落下を防止する使い勝手のよい落下防止具を提供することである。
【０００９】
また、この発明の別の目的は、１本の支柱の左右方向に複数の棚板が取り付けられている状態での取り付けが可能な落下防止具を提供することである。
【課題を解決するための手段】
【００１０】
発明の落下防止具は、棚板に取り付けられて前記棚板に積載された物品の滑り出しによる落下を防止する落下防止具であって、板状の滑り出し防止部材と該滑り出し防止部材を角度可変可能に保持する角度可変部材とを備え、前記滑り出し防止部材が前記角度可変部材の角度可変軸の位置を挟んで第１部材及び第２部材を有し、前記第１部材の重量が前記第２部材の重量よりも小さく構成され、前記角度可変軸が略水平に保たれるように前記棚板へ取り付けられた際に前記第１部材の端部が略鉛直に立ち上がって前記棚板の上面よりも上に位置する状態で保持され、前記棚板に積載された前記物品が滑り出して前記第１部材に当たる際に前記滑り出し防止部材の角度可変を防止するように構成されていることを特徴とする。
【００１１】
第１部材の重量が第２部材の重量よりも小さいので落下防止具が棚板へ取り付けられた状態で第２部材が下方へ、第１部材が上方へ向けて棚板に対して角度可変して、第１部材の上端が棚板の上面よりも上に位置することで棚板の上面に載置された本や物品の滑り出しを防止する。従来技術のように支柱を使わず棚板に取り付けることが出来るので取り付けの自由度が高い。取り付けられた状態で棚板の上面よりも上に位置する第1部材によって本や物品が落下することを防止する。そして本発明の落下防止具は、棚板に積載された本や物品が滑り出して第１部材を角度可変させる際にその角度可変を防止するように構成されているので動作が簡便である。
【００１２】
本発明の落下防止具は、棚板に物品を積み込む際に、前記落下防止具が前記棚板に取り付けられた状態で第１部材に前記物品が前記棚板の手前方向から当たる場合は角度可変部材の角度可変軸で前記滑り出し防止部材が角度可変して前記第１部材が前記棚板の上面に略平行になることを特徴とする。
【００１３】
棚板へ本や物品を載せる際は第１部材に本や物品などが当たると第１部材の端部が本や物品を載せる妨げにならないように棚板の奥行方向へ角度可変して棚板の上面に略平行になる。また、本や物品を取り出す場合は第1部材の上端を棚の奥行方向へ押して滑り出し防止材を角度可変させ棚板の上面に略平行にする。
【００１４】
本発明の落下防止具は、角度可変部材が粘着剤により棚板へ固定されることを特徴とする。
【００１５】
落下防止具が角度可変部材を介して強力な粘着剤を用いて棚板へ固定されるので落下防止具の取り付け用にボルト穴を開ける必要が無くなり落下防止具の取り付けが容易になる。
【００１６】
本発明の落下防止具は、第１部材が前記棚板の上面に略平行になった状態を維持する水平保持部を有することを特徴とする。
【００１７】
棚板に載置された本や物品の高さが棚板の天井の高さに近いと本や物品を棚へ納める際に落下防止具の第１部材の上端を超えることが難しい場合がある。かかる際は、第１部材を棚板の奥方向へ押すことで第１部材を棚板の上面に平行にすると水平保持部を有する落下防止具は水平状態を維持するので本や物品を容易に棚板から引き出すことができる。
【００１８】
本発明の落下防止具は、水平保持部が前記第１部材へ取り付けられた磁石であることを特徴とする。
【００１９】
第１部材に取り付けられた磁石は棚板が鉄材の場合はその鉄材へ、棚板が木製などの非磁性体の場合は棚板に貼り付けられた磁性体へ付着する。第１部材へ取り付けられた磁石によって本や物品の出し入れの際に第１部材が棚板の上面に平行になると磁石により棚板の上面へ第１部材が引き付けられ第１部材の水平を保持する。
【００２０】
本発明の落下防止具は、水平保持部が前記第１部材へ取り付けられた粘着剤であることを特徴とする。
【００２１】
第１部材が粘着剤を有するので棚板の材質によらずに棚板の上面へ粘着して第１部材の水平を保つことができる。
【００２２】
本発明の落下防止具は、角度可変部材が蝶番、可撓性のシート材又は前記角度可変軸の部分が折り曲げ可能に加工された板状部材の何れかであることを特徴とする。
【００２３】
角度可変部材は、その角度可変軸で滑り出し防止部材を棚板に対して角度可変させるものであれば、蝶番、シート材又は前記可変軸の部分が折り曲げ可能に加工された板状部材の何れかでよい。
【００２４】
本発明の落下防止具は、角度可変部材が前記滑り出し防止材と一体に成形されることを特徴とする。
【００２５】
角度可変部材の滑り出し防止部材に固着される部分を滑り出し防止部材の第２部材と一体化し、角度可変軸を挟んで棚板へ付着される部材を整形することで本発明の落下防止具をプラスチックの一体成型で作ることが可能になる。
【００２６】
本発明の落下防装置は、棚板の手前部分の上面に貼られた滑り出し防止テープと前記棚板の前面に付着された請求項1乃至８何れかに記載の落下防止具を備えることを特徴とする。
【００２７】
棚板の前面の端の近傍に摩擦係数の大きい滑り出し防止テープが貼られるので物品や本の飛び出しを２段構えで抑えることができる。
【図面の簡単な説明】
【００２８】
【図１】本発明の落下防止具を棚板へ取り付けた様子の説明図である。
【図２】滑り出し防止部材と付着された蝶番の説明図である。
【図３】滑り出し防止部材と付着されたシート状の角度可変部材の説明図である。
【図４】角度可変軸を有する角度可変部材の説明図である。
【図５】滑り出し防止部材と角度可変部材を一体成形した落下防止具の説明図である。
【図６】断面がロの字型の蝶番２０を有する落下防止具の棚への取り付け状態の説明図である。
【図７】水平保持部材の機能の説明図である。
【図８】棚板の手前部分の上面に貼られた滑り出し防止テープの説明図である。
【発明を実施するための形態】
【００２９】
以下、本発明の実施形態を図面に基づいて説明する。図１は落下防止具１０が本や物品を積載する棚板３０へ取り付けられた様子を示している。落下防止具１０は滑り出し防止部材１とこれに固定される蝶番２０と蝶番２０を棚板３０へ付着する粘着剤５を有している。落下防止具１０は粘着剤５を用いて棚板３０の手前の部分へ取り付けられる蝶番２０によって水平軸の周りに棚板に対して角度可変に取り付けられる。滑り出し防止部材１は角度可変軸の軸心の位置を示すＳを境界とする第１部材１１と第２部材１２で構成される。
【００３０】
第１部材の重量は第２部材の重量よりも小さくされているので落下防止具１０が棚板へ取付けられた状態で第１部材１１より重い第２部材１２が下方へ位置して滑り出し防止部材１がほぼ鉛直面に平行になる態様で安定する。そして第１部材１１の端部が棚板３０の上面よりも上に出るように構成されているので棚板上の本や物品の滑り出しを防げて本や物品の落下を防止する。
【００３１】
図１（Ａ）では棚板の上に物品４０が載置されており、棚板の手前には落下防止具の滑り出し防止部材の上端が棚板の上面より上に出て物品の棚板の前方への移動を防止している。この状態で本や物品が滑り出して第１部材１１の端部に当たると蝶番を図１の左側へ押す力が与えられ蝶番が角度可変しようとするが、第２部材１２の下端が蝶番２０に接しているので滑り出し防止材１のこれ以上の角度可変が妨げられて本や物品の滑り出しが防止される。
【００３２】
図１（Ｂ）は本や物品の出し入れの様子を示している。第１部材１１を図面の右方、棚板の後方へ倒すと第１部材１１が棚板３０の上面に接して棚板３０の上面と平行になる。この状態では滑り出し防止部材が物品の出入りの妨げにならず物品の出し入れが容易になる。
【００３３】
次に、図２を用いて本実施形態の落下防止具の構成を説明する。図２（Ａ）は棚板側から見た蝶番を９０度開いた状態の正面図、図２（Ｂ）は側面図である。滑り出し防止部材１には複数の蝶番２０が取り付けられている。蝶番２０の角度可変軸３は滑り出し防止部材１の分割線Ｓ上にある。滑り出し防止部材１は分割線Ｓよりも上に位置する第１部材１と分割線よりも下に位置する第２部材で構成される。蝶番２０の滑り出し防止部材１への取り付けはネジや接着剤により行う。落下防止具は棚板全体をカバーできる例えば長さ９０ｃｍ〜１８０ｃｍで構成しても良いが、数十ｃｍ程度の長さに分割することで組み合わせによって適宜な幅の書棚や収納棚へ対応が可能になる。
【００３４】
図３を用いて滑り出し防止部材を棚板へ角度可変に取り付ける角度可変部材２０の説明をする。この角度可変部材は一体で成形されており角度可変軸２３を境にして棚板へ付着される棚板付着部２４と滑り出し防止部材へ付着される滑り出し防止部材位付着部２２で構成される。そして棚板付着部２４には両面テープなどの付着層５が固定されている。この角度可変部材の材料は布やビニールなどの可撓性のあるシートなど柔軟なものが好適である。
【００３５】
角度可変部材をプラスチックの板で成形した場合を図４を用いて説明する。この角度可変部材は一体で成形されており角度可変軸２３を境にして棚板へ付着される棚板付着部２４と滑り出し防止部材へ付着される滑り出し防止部材位付着部２２で構成される。可変軸２３の部分は薄く成形され棚板付着部２４と滑り出し防止部材へ付着される滑り出し防止部材位付着部２２の間の角度を自由に変えられる。
【００３６】
さらに、滑り出し防止部材と角度保持部材を一体として成形する場合を図５を用いて説明する。本発明の落下防止具１０をプラスチックで成形する際に板状の滑り出し防止部材１と板状の角度可変部材２０を一体として成形することができる。滑り出し防止部材付着部２２は滑り出し防止部材１に一体化され、棚板付着部２４は角度可変軸２３の部分から滑り出し防止部材と分離されて成形される。
【００３７】
図６を用いて棚板よりも手前に長さｄだけ離して取り付ける場合を示す。本や物品が棚の手前端の側まで置かれている場合は滑り止め部材の第１部材を水平状態で棚板へ載せると本や物品に当たる惧れがある。そこで第１部材１１の端から分割線Ｓまでの距離に相当する厚さｄを持つ取付部材５０を棚板３０と落下防止具１０の間へ介在させる。
【００３８】
図６（Ａ）において地震などで本や物品が図の左方へ移動すると略ｄだけ棚板の端から出た位置で滑り出し防止部材１によって本や物品の落下が防止される。また、図６（Ｂ）に示すように本や物品を棚へ出し入れする場合は、滑り出し防止部材１は水平になって棚板に平行になるので本や物品の出し入れが容易に行える。
【００３９】
本や物品を棚から降ろすときに落下防止具の滑り出し防止部材の棚板上面から上に出ている第１部材が妨げなるので第１部材を水平に保つことが望ましい。そこで、第１部材に水平保持部材を付着して滑り出し防止部材が本や物品を降ろす妨げにならないように水平状態を保たせることが好ましい。
【００４０】
そこで図７に示す落下防止具１０は第１部材１１を棚板の上面に平行に沿わせて保持する水平保持部７が付着されている。ここで、棚板が鉄製の場合は水平保持部７として磁石を用いる。また、棚板が鉄のような磁性体でない場合は棚板へ磁性体を貼り付けることで第１部材の水平状態を保つことができる。また、水平保持部７としてゲルなの粘着性を有する材料を用いて木製棚などへ対応してもよい。
【００４１】
図８を用いて書棚での本の背表紙の位置を整える際に目印になる書棚の前側から所定の位置に貼る滑り出し防止テープの説明をする。この滑り出し防止テープは摩擦係数を大きくしてあるので書棚が揺れて本が手前に移動する際にその移動を妨げる効果がある。この滑り出し防止テープを超えて来る場合は滑り出し防止部材により外部への本の落下が防止される。この滑り出し防止テープと落下防止具を組み合わせることで落下防止装置が構成されるので効果的に物品や本の落下を防ぐことができる。
【００４２】
上記に説明した実施例は本願発明の一部であって本願発明の技術思想を含む実施の態様は本願発明の技術思想に含まれる。
【符号の説明】
【００４３】
１  滑り出し防止部材
２  蝶番２０の滑り出し防止部材１への付着部
３  蝶番の角度可変軸
４  蝶番の棚板３０への付着部
５  粘着剤
７  水平保持部
１０  落下防止具
１１  第１部材
１２  第２部材
２０  角度可変部材
２２  滑り出し防止部材付着部
２３  角度可変軸
２４  棚板付着部
３０  棚板
４０、４１，４２，４３  本又は物品
５０  滑り出し防止テープ
【図１】
2019083963.tif 000003
【図２】
2019083963.tif 000004
【図３】
2019083963.tif 000005
【図４】
2019083963.tif 000006
【図５】
2019083963.tif 000007
【図６】
2019083963.tif 000008
【図７】
2019083963.tif 000009
【図８】
2019083963.tif 000010